(57)【要約】【課題】本発明は、エアフィルタから自動的に塵埃を除去するとともに、除去した塵埃を短時間で確実に屋外へ排出できるようにして、塵埃除去効率の向上化を得られる空気調和機の室内機を提供する。【解決手段】室内機本体１の室内空気吸込み口４，５に対向してエアフィルタ１７，２０を設置し、このエアフィルタ表面に付着する塵埃を除去するエアフィルタ清掃ユニットＳを設け、エアフィルタ清掃ユニットの一側部に除去した塵埃を屋外へ排出する排気装置１１を連設してなる空気調和機の室内機において、上記エアフィルタ清掃ユニットの排気装置が連設される側部とは反対側の側部に吸気口３６を開口し、この吸気口に開閉自在に蓋体３７を取付けるとともに、蓋体を開閉駆動する駆動機構３８を備え、排気装置の運転開始時には吸気口を閉成し、運転開始から所定時間経過後に吸気口を開放するよう駆動機構を制御する制御部Ｒを具備する。【選択図】    図４
2008145074.tif 000002
【特許請求の範囲】
【請求項１】
室内機本体の室内空気吸込み口に対向して設置されるエアフィルタと、
このエアフィルタに沿って設けられ、エアフィルタ表面に付着する塵埃を除去する除去部材および除去部材で除去された塵埃を回収するダストボックスを備えたエアフィルタ清掃ユニットと、
このダストボックスの一側部に連設され、エアフィルタ清掃ユニットで除去した塵埃を吸引し屋外へ排出する排気装置と備えた空気調和機の室内機において、
上記ダストボックスの、上記排気装置が連設される側部とは反対側の側部に開口される吸気口と、
この吸気口に開閉自在に取付けられる蓋体および、この蓋体に連結され蓋体を開閉駆動する駆動機構と、
上記排気装置の運転開始時には上記吸気口を閉成し、運転開始から所定時間経過後に吸気口を開放するよう上記駆動機構を制御する制御手段と
を具備することを特徴とする空気調和機の室内機。
【請求項２】
上記エアフィルタ清掃ユニットのダストボックスは、
上記エアフィルタ表面に付着する塵埃を除去する回転ブラシを収容し、この回転ブラシの一部が露出してエアフィルタに接触するよう設けられた開口部と、上記排気装置と連通し上記回転ブラシにより除去した塵埃を回収する塵埃受け部を備え、
上記開口部には、上記回転ブラシが回転してエアフィルタから塵埃を除去する作用中は開口部を開放し、排気装置が運転して塵埃受け部の塵埃を屋外へ排出する作用中は開口部を閉成するよう開閉操作されるシール部材を具備することを特徴とする請求項１記載の空気調和機の室内機。
【請求項３】
室内機本体の室内空気の吸込み口に対向して設置されるエアフィルタと、
このエアフィルタに沿って設けられ、エアフィルタ表面に付着する塵埃を除去する除去部材および除去部材で除去された塵埃を回収するダストボックスを備えたエアフィルタ清掃ユニットと、
このダストボックスの一側部に連設され、エアフィルタ清掃ユニットで除去した塵埃を吸引し屋外へ排出する排気装置と備えた空気調和機の室内機において、
上記ダストボックスの、上記排気装置が連設される側部とは反対側の側部に設けられる第１の吸気口および、この第１の吸気口よりも排気装置に近い中間部に設けられる第２の吸気口と、
これら第１の吸気口と第２の吸気口にそれぞれ開閉自在に取付けられる第１の蓋体および第２の蓋体と、
これら第１の蓋体と第２の蓋体をそれぞれ開閉駆動する駆動機構と、
上記排気装置の運転開始時には上記第１の吸気口および第２の吸気口を閉成し、運転開始から所定時間経過後に第１の吸気口と第２の吸気口のいずれか一方のみを開放し、さらに所定時間経過後に開放した一方の吸気口を閉成するとともに他方の吸気口を開放するよう上記駆動機構を制御する制御手段と
を具備することを特徴とする空気調和機の室内機。
【請求項４】
上記制御手段は、
上記排気装置の運転開始から所定時間経過後に第１の吸気口のみを開放し、さらに所定時間経過後に第１の吸気口を閉成するとともに第２の吸気口を開放するよう上記駆動機構を制御することを特徴とする請求項３記載の空気調和機の室内機。
【請求項５】
上記制御手段は、
上記排気装置の運転開始から所定時間経過後に第２の吸気口のみを開放し、さらに所定時間経過後に第２の吸気口を閉成するとともに第１の吸気口を開放するよう上記駆動機構を制御することを特徴とする請求項３記載の空気調和機の室内機。
【発明の詳細な説明】
【技術分野】
【０００１】
本発明は、エアフィルタが室内空気から捕捉した塵埃を、自動でエアフィルタから除去し、屋外へ排出する手段を備えた空気調和機の室内機に関する。
【背景技術】
【０００２】
空気調和機の室内機では、吸込み口から本体内に吸込まれる室内空気をエアフィルタに通過させ、室内空気に含まれる塵埃をエアフィルタで捕捉してから熱交換器に導くようにしている。そのため長期に亘って空調運転を継続すると、エアフィルタに塵埃が堆積し、熱交換器に対する室内空気の流通抵抗となって熱交換効率が低下する。
【０００３】
そこで、エアフィルタを定期的に取外し、付着している塵埃を除去する必要があるが、一般的な室内機は部屋の壁面高所に取付けられるので、ユーザーによってはエアフィルタの着脱操作が困難をともなう。このような理由から、たとえば［特許文献１］には、エアフィルタに付着するゴミを自動的に除去する手段を備えた空気調和機が開示されている。
【特許文献１】特開２００６−１１８７３７号公報
【発明の開示】
【発明が解決しようとする課題】
【０００４】
［特許文献１］の空気調和機のフィルタ装置は、エアフィルタに付着した塵埃を除去部材が除去し、除去した塵埃を埃収納部に収納し、この埃収納部内の塵埃を吸引装置が吸引して屋外へ排出するようになっている。上記埃収納部には空気流入口が設けられ、吸引装置の作動時に開放した空気流入口に大気内の空気が導入され、この通風空気に乗って塵埃が埃収納部から吸引装置へ導かれるものである。
【０００５】
上記埃収納部に空気流入口を備えたことで、フィルタ装置周囲の空気が埃収納部に形成するダクト内に導入されことになるが、この導入された空気の流れは、吸引装置の送風機の能力に関係する。  
すなわち、上記空気流入口はフィルタ装置の埃収納部における単なる風の入口であって、埃収納部は大気に開放された状態でしかない。強力な吸引装置を備えないと、埃収納部内の塵埃を吸引する空気の流れを作ることができず、埃収納部内に堆積した塵埃を短時間で、かつ完全に除去するのは難しい。
【０００６】
本発明は上記事情にもとづきなされたものであり、その目的とするところは、エアフィルタから自動的に塵埃を除去するとともに、除去した塵埃を短時間で確実に屋外へ排出できるようにして、塵埃除去効率の向上化を得られる空気調和機の室内機を提供しようとするものである。
【課題を解決するための手段】
【０００７】
上記目的を満足するため本発明の空気調和機の室内機は、室内機本体の室内空気吸込み口に対向してエアフィルタを設置し、エアフィルタ表面に付着する塵埃を除去する除去部材および除去部材で除去された塵埃を回収するダストボックスを備えたエアフィルタ清掃ユニットを設け、ダストボックスの一側部に除去した塵埃を屋外へ排出する排気装置を連設してなり、  
上記ダストボックスの排気装置が連設される側部とは反対側の側部に吸気口を開口し、吸気口に開閉自在に蓋体を取付けるとともに、蓋体を開閉駆動する駆動機構を備え、排気装置の運転開始時には吸気口を閉成し、運転開始から所定時間経過後に吸気口を開放するよう駆動機構を制御する制御手段を具備する。
【発明の効果】
【０００８】
本発明によれば、エアフィルタから自動的に塵埃を除去するとともに、除去した塵埃を短時間で確実に屋外へ排出できるようにして、塵埃除去性能の向上化を得られる。
【発明を実施するための最良の形態】
【０００９】
以下、図面を参照しながら、本発明の実施の形態について詳細に説明する。  
図１は空気調和機の室内機に係る概略の側断面図、図２は前面パネル２を外した状態での室内機本体１の正面図である。（なお、説明中に符号を付していない部品は図示していない。以下同じ）
室内機本体１は、この室内機本体１の前側筐体を構成する前面パネル２と、後板筐体３とから構成されていて、上下方向に対して幅方向に横長状をなす。室内機本体１の前面側一部に前面吸込み口４が開口され、前面吸込み口４に対向する前面パネル２には開閉駆動機構に支持される可動パネル２Ａが嵌め込まれている。
【００１０】
運転停止の状態では、上記可動パネル２Ａは前面パネル２表面に接合して同一面となり前面吸込み口４を閉成するが、運転時には手前側に突出変位して周囲に室内と連通する隙間を生じさせ、前面吸込み口４が室内に開放するよう制御される。室内機本体１の上部には上面吸込み口５が設けられる。この上面吸込み口５には枠状の桟が嵌め込まれていて、上記桟によって複数の空間部に仕切られている。
【００１１】
上記室内機本体１の前面下部に吹出し口６が開口され、この吹出し口６には２枚の吹出しルーバー７ａ，７ｂが並行して設けられる。各吹出しルーバー７ａ，７ｂは、それぞれの回動姿勢によって上記吹出し口６を開閉し、かつ運転条件に応じて熱交換空気の吹出し方向を設定できるようになっている。
【００１２】
室内機本体１内には、前側熱交換器部８Ａと後側熱交換器部８Ｂとで略逆Ｖ字状に形成される熱交換器８が配置されるとともに、この熱交換器８の一側部に室内機本体１内に収容される全ての電気部品を制御する制御部（制御手段）Ｒを備えた電気部品箱９が並設される。
【００１３】
上記前側熱交換器部８Ａは、前面パネル２と間隙を存してほぼ平行な湾曲状に形成されて前面吸込み口４と上面吸込み口５と対向し、後側熱交換器部８Ｂは直状に形成されて上面吸込み口５と斜めに傾斜して対向している。上記熱交換器８の前後側熱交換器部８Ａ，８Ｂ相互間に室内送風機１０が配置される。
【００１４】
上記室内送風機１０は、室内機本体１の一側端のスペースに配置されたファンモータと、このファンモータの回転軸に一方の支軸が機械的に連結される横流ファンとから構成される。上記横流ファンの他方の支軸は軸受け具に支持されていて、さらにこの軸受け具と隣接する位置には後述する排気装置１１が設けられる。
【００１５】
上記前側熱交換器部８Ａの下端部は前ドレンパン１２ａ上に載り、上記後側熱交換器部８Ｂの下端部は後ドレンパン１２ｂ上に載る。前、後ドレンパン１２ａ，１２ｂは、それぞれの熱交換器部８Ａ，８Ｂから滴下するドレン水を受け、図示しない排水ホースを介して外部に排水できるようになっている。
【００１６】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。隔壁部材１４で囲まれる空間が、ノーズと吹出し口６とを連通する吹出し通風路１５となっている。
【００１７】
一方、上記前面パネル２と熱交換器８の前面側から上面側との間に亘って枠体組立１６が介在され、この枠体組立１６は取付け具を介して前面パネル２に取付けられる。枠体組立１６の前面部には、左右に二分割された前部エアフィルタ１７と、二次エアフィルタであるところの空気清浄ユニット１８が前後して取付けられる。上記枠体組立１６の上面には左右に二分割された上部エアフィルタ２０が取付けられる。
【００１８】
前部エアフィルタ１７の上端と上部エアフィルタ２０の前端との間に亘って、エアフィルタ清掃ユニットＳが設けられる。エアフィルタ清掃ユニットＳは、各エアフィルタ１７，２０の幅方向長さと同一の幅方向長さに形成され、かつ前後方向にある程度の厚み寸法を有している。エアフィルタ清掃ユニットＳは、前面パネル２の前面部と上面部とが交差するデッドスペースである角部内に配置される。
【００１９】
前部エアフィルタ１７には前部エアフィルタ移動機構５２が連結される。この移動機構５２は、上記制御部Ｒからの制御信号にもとづき前部エアフィルタ１７を図の位置から上昇駆動し、エアフィルタ清掃ユニットＳを通過して上部エアフィルタ２０の上面位置に所定間隔を存して対向させる。さらに、前部エアフィルタ１７を下降駆動してエアフィルタ清掃ユニットＳを通過させ、再び元の位置に戻すよう制御される。
【００２０】
上部エアフィルタ２０には上部エアフィルタ移動機構５３が連結される。この移動機構５３は上記制御部Ｒからの制御信号にもとづき上部エアフィルタ２０を図の位置から下降駆動し、エアフィルタ清掃ユニットＳを通過して前部エアフィルタ１７の前面位置に所定間隔を存して対向させる。さらに、上部エアフィルタ２９を上昇駆動してエアフィルタ清掃ユニットＳを通過させ、再び元の位置に戻すよう制御される。
【００２１】
上記空気清浄ユニット１８は、並設される左右一対の電気集塵機２２と、一側部に配置される集塵機電源部２３とから構成される。各電気集塵機２２は同一の寸法形状に設計され、流通する空気中の塵埃に電荷を与える荷電側電極と、電荷を与えられた塵埃を捕捉する集塵側電極を備えている。各電極表面には、空気中に含まれる臭いの成分を吸着する脱臭剤が塗布され、電気集塵機として集塵機能と脱臭機能を併せ有する。
【００２２】
上記エアフィルタ清掃ユニットＳは、前，上部エアフィルタ１７，２０に付着する塵埃を除去する回転ブラシ３０を収容するとともに、回転ブラシ３０が除去した塵埃を収集する塵埃受け通路（塵埃受け部）３１を備えたダストボックス３２と、このダストボックス３２下面に設けられ回転ブラシ３０の一部が露出する開口部３３と、この開口部３３を開閉自在なシール部材３４とから構成される。
【００２３】
上記ダストボックス３２は、帯電防止樹脂材を用いて成形され、かつ抗菌処理が施されている。そのため、塵埃の付着やカビの発生を防止して、長期に亘って清潔な状態を維持できる。同様に、回転ブラシ３０についても抗菌処理したものを使用して、塵埃の付着やカビの発生を防止して、長期に亘って清潔な状態を維持できる。
【００２４】
さらに、ダストボックス３２内部において塵埃の移動がスムーズとなるよう、塵埃接触部分に対して滑らかな表面処理を施している。特に塵埃受け通路３１においては、実際の塵埃除去運転において圧損を小さく抑え、風の流れがスムーズになるよう構成される。塵埃受け通路３１内の稜線は風上側にＲ２ｍｍ以上の曲面を形成することで、塵埃が引っ掛って移動しない等の不具合の発生を確実に防止できる。
【００２５】
上記シール部材３４は、開口部３３の下方部位に、この開口部３３と対向して配置されていて、合成ゴム等の柔軟弾性材から形成される。シール部材３４は排気装置１１の作動時のみ開口部３３を閉成し、空調運転時およびエアフィルタ清掃ユニットＳの作動時には開口部３３から露出する回転ブラシ３０とは接触せず、開口部３３を開放するようリフト機構Ｗに支持される。
【００２６】
さらに、ダストボックス３２内における塵埃受け通路３１と回転ブラシ３０の収容部位との間には掻き落し用突部３５が突設される。この掻き落し用突部３５は常時、回転ブラシ３０の毛先内に、回転ブラシ３０の軸方向に亘って挿入していて、回転ブラシ３０の回転にともなって毛先が摺接する位置にある。
【００２７】
特に、図２に示すように、エアフィルタ清掃ユニットＳにおける上記排気装置１１が連設される側部とは反対側の側部（電気部品箱９の取付け側）には、ダストボックス３２上面に矩形状の吸気口３６が開口される。この吸気口３６は、上記塵埃受け通路３１と互いに連通する位置にあり、かつ蓋体３７が開閉自在に取付けられる。
【００２８】
上記ダストボックス３２の側部には、蓋体３７に連結する駆動機構３８が並設される。上記駆動機構３８は、たとえば電磁ソレノイドからなり、上記制御部Ｒと電気的に接続されている。したがって、制御部Ｒから送られる制御信号により、この作動杆に連結される上記蓋体３７を往復移動させて吸気口３６を開閉できる。
【００２９】
図３は排気装置１１側の室内機本体１一部の斜視図であり、図４は室内機の概略の構成図である。  
エアフィルタ清掃ユニットＳを構成するダストボックス３２の側部には塵埃排出ボックス４０が一体に取付けられる。この塵埃排出ボックス４０は上記塵埃受け通路３１の末端部に設けられていて、塵埃受け通路３１を介して上記吸気口３６と連通する。塵埃排出ボックス４０には案内ホース４２の一端部が接続されていて、この案内ホース４２を介してダストボックス３２は上記排気装置１１と連通する。
【００３０】
上記案内ホース４２の他端部は、排気装置１１を構成する風力ダンパ４３を備えたダンパケース４４に接続される。上記風力ダンパ４３は一端が支軸ｕを介してダンパケース４４に回動自在に支持され、他端は重力でダンパケース４４内に垂れ下がってダンパケース４４内を閉成する。すなわち、ダンパケース４４内に負圧がかかることで風力ダンパ４３は回動しダンパケース４４内を開放できるようになっている。
【００３１】
上記ダンパケース４４は、内部に排気ファン４５が回転自在に収容されるファンケーシング４６の周面に一体に突設されている。ファンケーシング４６の一側面から排気ファン４５の駆動源であるファンモータ４７が突出し、反対側の側面には換気吸込み口４８と、図示しない補助換気吸込み口が開口される。これら換気吸込み口４８と補助換気吸込み口は、ダンパ駆動機構と連結される開閉ダンパ４９によって開閉自在である。
【００３２】
上記室内送風機１０の作動にともない前面吸込み口４と上面吸込み口５から室内機本体１内に吸込まれた室内空気は、前，上部エアフィルタ１７，２０を介して前、後側熱交換器部８Ａ，８Ｂを流通する。前、後側熱交換器部８Ａ，８Ｂを流通する前の空間を一次側空間と呼び、流通した後の空間を二次側空間と呼ぶとすると、上記換気吸込み口４８は二次側空間と対向し、補助換気吸込み口は一次側空間と対向して設けられる。
【００３３】
上記開閉ダンパ４９を駆動するダンパ駆動機構は、制御部Ｒからの制御信号にもとづき、換気吸込み口４８を開放して熱交換器８を通過した後の二次側空気を排気ファン４５に導き、もしくは補助換気吸込み口を開放して前、上部エアフィルタ１７，２０を通過したあとで熱交換器８に導かれる以前の一次側空気を排気ファン４５に導き、もしくは換気吸込み口４８と補助換気吸込み口との両方を閉成する作用を行わせる。
【００３４】
上記ファンケーシング４６は排気口ａを備えていて、この排気口ａには排気ダクト５０が接続される。上記排気ダクト５０は、室内機本体１の取付け壁面Ｋを貫通して屋外へ突出している。したがって、開閉ダンパ４９の位置によって二次側空気を屋外へ排出でき、あるいは一次側空気を屋外へ排出でき、あるいは風力ダンパ４３が開放された状態で塵埃排出ボックス４０を通過した空気を屋外へ排出できるようになっている。
【００３５】
つぎに、このようにして構成される空気調和機の室内機における作用について説明する。  
使用者がリモコン（遠隔操作盤）の運転ボタンを押圧操作すると、室内送風機１０が駆動するとともに空気清浄ユニット１８が作用する。さらに、室内機と冷媒管を介して連通する室外機において圧縮機が駆動して、冷凍サイクル運転が開始される。
【００３６】
室内空気は前面吸込み口４および上面吸込み口５から室内機本体１内に導かれ、前部エアフィルタ１７および上部エアフィルタ２０を通過する。このとき、室内空気中に含まれる塵埃が各エアフィルタ１７，２０に捕捉される。前部エアフィルタ１７により塵埃が除去された室内空気は空気清浄ユニット１８を構成する電気集塵機２２を通過して、より微細な塵埃が電気的に集塵され、かつ脱臭される。
【００３７】
清浄化した室内空気は熱交換器８を流通し、ここに導かれる冷媒と熱交換作用が行われる。そのあと熱交換空気は吹出し通風路１５に沿って導かれ、吹出し口６から吹出しルーバー７ａ，７ｂに案内されて室内へ吹出され、効率のよい空調運転を継続する。  
使用者がリモコン（遠隔操作盤）を操作して「エアフィルタ掃除モード」を選択する、もしくは所定の期間毎で空調運転の終了後、もしくは予め設定された時間、もしくは予め決められた時間帯などに、「エアフィルタ掃除モード」が自動的に行われる。
【００３８】
エアフィルタ掃除モードの選択にともない、制御部Ｒは前部エアフィルタ移動機構５２を作動させ前部エアフィルタ１７は徐々に上昇駆動する。同時にエアフィルタ清掃ユニットＳを作動させ、リフト機構Ｗに連結されるシール部材３４はダストボックス３２の開口部３３を開放する。したがって、前部エアフィルタ１７はダストボックス３２とシール部材３４との間に形成される隙間を挿通する。
【００３９】
さらに、回転ブラシ３０が回転駆動され、上昇移動してきた前部エアフィルタ１７に摺接する。前部エアフィルタ１７に付着していた塵埃は、回転ブラシ３０によって円滑に、かつ確実に掻き落されて除去される。塵埃は前部エアフィルタ１７から回転ブラシ３０に転移するが、この直後に回転ブラシ３０は掻き落し用突部３５に接触して通過する。掻き落し用突部３５は回転ブラシ３０に転移した塵埃を塵埃受け通路３１に掻き落す。
【００４０】
このとき、塵埃受け通路３１の一側部に設けられる吸気口３６は蓋体３７によって閉成され、排気装置１１の排気ファン４５は停止して風力ダンパ４３はダンパケース４４を閉成し、案内ホース４２と塵埃排出ボックス４０は塵埃受け通路３１に対して閉成状態にある。すなわち、ダストボックス３２の開口部３３以外は密閉構造となっているので、掻き落とされた塵埃が塵埃受け通路３１から周辺へ飛散することはない。
【００４１】
前部エアフィルタ１７は回転ブラシ３０によって塵埃を除去されつつ、上部エアフィルタ２０の上部側に案内される。所定位置に到達すると、制御部Ｒは前部エアフィルタ移動機構５２を一旦停止させ、しかる後、前部エアフィルタ１７を元の位置に戻るよう逆転制御する。
【００４２】
先の塵埃除去作用で全ての塵埃が前部エアフィルタ１７から除去されるが、条件によっては、なお前部エアフィルタ１７に塵埃が残留する場合がある。しかしながら、前部エアフィルタ１７を下降移動する際にも回転ブラシ３０が摺接するので、残留していた塵埃の全ては確実に除去される。前部エアフィルタ１７が元の位置に戻ると、つぎに制御部Ｒは上部エアフィルタ移動機構５３に駆動信号を送る。
【００４３】
上部エアフィルタ２０は前面側へ下降移動し、順次、エアフィルタ清掃ユニットＳを通過する。上部エアフィルタ２０に付着していた塵埃は、回転ブラシ３０によって円滑に、かつ確実に掻き落されて除去される。塵埃は上部エアフィルタ２０から回転ブラシ３０に転移し、この直後に回転ブラシ３０は掻き落し用突部３５に接触して転移した塵埃が塵埃受け通路３１に掻き落される。
【００４４】
上部エアフィルタ２０が前部エアフィルタ１７の前部側に対向すると、制御部Ｒは上部エアフィルタ移動機構５３を一旦停止させ、しかる後、上部エアフィルタ２０を元の位置に戻るよう逆転制御する。回転ブラシ３０は上部エアフィルタ２０が上昇移動する際にも摺接するので、残留していた塵埃の全ては確実に除去される。
【００４５】
このようにして前部エアフィルタ１７および上部エアフィルタ２０に付着する塵埃を除去する自動清掃運転が完了した時点で、制御部Ｒはリフト機構Ｗに駆動信号を送ってダストボックス３２の開口部３３を閉成させる。そして、排気装置１１に制御信号を送って排気ファン４５のファンモータ４７を駆動するとともに、開閉ダンパ４９により換気吸込み口４８および補助換気吸込み口を閉成させる。
【００４６】
排気口ａは常時開放状態にあるから、排気ファン４５の回転にともなって風力ダンパ４３に負圧がかかり、この風力ダンパ４３は回動してダンパケース４４内を開放する。負圧は案内ホース４２と塵埃排出ボックス４０を介してエアフィルタ清掃ユニットＳに作用する。すなわち、塵埃排出ボックス４０から塵埃受け通路３１に負圧がかかる。
【００４７】
排気装置１１の運転開始時においては、未だ蓋体３７は吸気口３６を閉成しており、塵埃受け通路３１は４０側端部のみが開放状態にある。しかも、開放している塵埃排出ボックス４０側端部には排気ファン４５の駆動にともなう負圧がかかっているから、ダストボックス３２内は大気との圧力差が徐々に拡大した負圧状態に変る。
【００４８】
排気装置１１が運転を開始してから所定時間が経過したあと、制御部Ｒは蓋体３７を駆動する駆動機構３８に制御信号を送って吸気口３６を開放する。したがって、ダストボックス３２内には、急激に吸気口３６から空気が導入されて、ほとんど瞬間的に負圧状態から大気圧に変化する。その結果、吸気口３６から瞬間的に導入された比較的圧力の高い空気が、ダストボックス３２内の排気装置１１方向へ速い速度で搬送される。
【００４９】
具体的には、吸気口３６と連通する塵埃受け通路３１に塵埃排出ボックス４０へ向かって比較的圧力の高い流速の大なる空気が搬送される。したがって、塵埃受け通路３１にある塵埃はその空気流の勢いに乗って塵埃排出ボックス４０側に導かれる。全ての塵埃は塵埃排出ボックス４０から案内ホース４２を介してファンケーシング４６に導かれ、さらに排気ダクト５０を介して屋外へ排出されることとなる。
【００５０】
このようにして、排気装置１１の運転開始時にはダストボックス３２を略密閉化して負圧状態とし、所定時間経過後に吸気口３６を開放する制御を少なくとも１回は行う。好ましくは、再度、蓋体３７で吸気口３６を閉成し、ダストボックス３２内を略密閉化して負圧条件を大としてから、所定時間経過後に開放する制御を複数回繰り返すとよい。
【００５１】
吸気口３６を閉成することによりダストボックス３２内外とで大きな圧力差をとることができ、大気に比べダストボックス３２内は顕著な負圧状態となる。そのあと、蓋体３７を駆動して吸気口３６を開放すれば、圧力差のエネルギを塵埃受け通路３１における塵埃排出に利用できる。塵埃受け通路３１に収集されていた塵埃は短時間で、かつ確実に排出される。
【００５２】
なお、上記実施の形態ではエアフィルタ清掃ユニットＳを構成するダストボックス３２の、排気装置１１が連設される側部とは反対側の側部のみに蓋体３７で開閉される吸気口３６を備えたが、これに限定されるものではない。
【００５３】
図５は変形例としての、エアフィルタ清掃ユニットＳａの概略の構成図である。  
すなわち、エアフィルタ清掃ユニットＳａを構成するダストボックス３２において、上記排気装置１１が連設される側部とは反対側の側部に第１の吸気口３６Ａが設けられ、この第１の吸気口３６Ａよりも排気装置１１に近い中間位置に第２の吸気口３６Ｂが設けられる。第１の吸気口３６Ａには第１の蓋体３７Ａが開閉自在に取付けられ、第２の吸気口３６Ｂには第２の蓋体３７Ｂが開閉自在に取付けられる。
【００５４】
特に図示しないが、第１の蓋体３７Ａには第１の駆動機構３８Ａが連結され、第２の蓋体３７Ｂには第２の駆動機構３８Ｂが連結されていて、それぞれの駆動機構３８Ａ，３８Ｂは上記制御部Ｒと電気的に接続される。したがって、第１の駆動機構３８Ａと第２の駆動機構３８Ｂは、制御部Ｒから制御信号を受けて第１の蓋体３７Ａと第２の蓋体３７Ｂをそれぞれ開閉駆動できる。
【００５５】
上記排気装置１１の運転開始時には上記第１の吸気口３６Ａおよび第２の吸気口３６Ｂともに閉成されているが、所定時間経過後には第１の吸気口３６Ａと第２の吸気口３６Ｂのいずれか一方のみが開放される。さらに、運転開始から所定時間経過後には、開放した吸気口を閉成するとともに他方の吸気口を開放するよう、上記第１の駆動機構３８Ａおよび第２の駆動機構３８Ｂが制御される。
【００５６】
具体的には、図６（Ａ）（Ｂ）に示す制御と、図７（Ａ）（Ｂ）に示す制御のいずれかが採用される。  
すなわち、上記排気装置１１の運転が開始される当初は第１の吸気口３６Ａと第２の吸気口３６Ｂを閉成し、したがってダストボックス３２内が負圧状態となり、大気との圧力差が大になる。所定時間経過後に、図６（Ａ）に示すように第１の吸気口３６Ａのみを開放する。さらに、所定時間経過後に、図６（Ｂ）に示すように第１の吸気口３６Ａを閉成するとともに第２の吸気口３６Ｂを開放するよう、第１の駆動機構３８Ａおよび第２の駆動機構３８Ｂが制御される。
【００５７】
これにより、はじめはダストボックス３２内の塵埃受け通路３１における排気ファン４５から遠い部位に存在する塵埃が搬送されてきて、排気ファン４５を介して屋外へ排出される。このとき、ダストボックス３２内の一部の塵埃が排気ファン４５にまで到達せず、ダストボックス３２の排気ファン４５に近い側部で留まることが考えられる。
【００５８】
このような状況であっても、つぎに第１の吸気口３６Ａを閉成するとともに、排気ファン４５に近い側に設けられる第２の吸気口３６Ｂを開放するので、ここを流通する流速の速い空気に乗って留まっていた塵埃を持ち去ることができる。結局、塵埃受け通路３１にある全ての塵埃は効率よく屋外へ排出され、悪条件に影響されずにすむ。
【００５９】
もしくは、上記排気装置１１の運転が開始される当初は第１の吸気口３６Ａと第２の吸気口３６Ｂを閉成し、ダストボックス３２内を負圧化して大気との圧力差を大とする。所定時間経過後に、図７（Ａ）に示すように第２の吸気口３６Ｂのみを開放し、さらに所定時間経過後には、図７（Ｂ）に示すように第２の吸気口３６Ｂを閉成するとともに第１の吸気口３６Ａを開放するよう、第１の駆動機構３８Ａおよび第２の駆動機構３８Ｂが制御される。
【００６０】
すなわち、ダストボックス３２内の塵埃受け通路３１が幅方向と比較して長手方向に極端に長いために、第１の吸気口３６Ａを開放して一気に末端部にある塵埃までを排気ファン４５側に吸引しようとすると、塵埃受け通路３１の途中で塵埃が集合され大きな固まりとなって詰まることが考えられる。
【００６１】
そこで、はじめに第２の吸気口３６Ｂを開放して排気ファン４５に近い側の塵埃を先に排出し、この部位において塵埃がほとんど存在しない状態にしてから、排気ファン４５に遠い側に設けられる第１の吸気口３６Ａを開放して塵埃を排出することで、塵埃が大きな固まりの状態にならないよう効率よく全ての塵埃を屋外へ排出でき、悪条件に影響されずにすむ。
【００６２】
さらに、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００６３】
【図１】本発明における実施の形態に係る、空気調和機室内機の概略縦断面図。
【図２】同実施の形態に係る、前面パネルを取外した室内機本体の正面図。
【図３】同実施の形態に係る、室内機本体の一部斜視図。
【図４】同実施の形態に係る、室内機の概略の構成図。
【図５】同実施の形態の変形例に係る、エアフィルタ清掃ユニットと、その近傍部位を断面にした斜視図。
【図６】同変形例に係る、吸気口の開閉制御を説明する図。
【図７】同変形例に係る、吸気口のさらに異なる開閉制御を説明する図。
【符号の説明】
【００６４】
１…室内機本体、４…前面吸込み口、５…上面吸込み口、１７…前部エアフィルタ、２０…上部エアフィルタ、Ｓ…エアフィルタ清掃ユニット、１１…排気装置、３６…吸気口、３７…蓋体、３８…駆動機構、Ｒ…制御部（制御手段）、３０…回転ブラシ、３３…開口部、３１…塵埃受け通路（塵埃受け部）、３２…ダストボックス、３４…シール部材、３６Ａ…第１の吸気口、３６Ｂ…第２の吸気口、３７Ａ…第１の蓋体、３７Ｂ…第２の蓋体、３８Ａ…第１の駆動機構、３８Ｂ…第２の駆動機構。
【図１】
2008145074.tif 000003
【図２】
2008145074.tif 000004
【図３】
2008145074.tif 000005
【図４】
2008145074.tif 000006
【図５】
2008145074.tif 000007
【図６】
2008145074.tif 000008
【図７】
2008145074.tif 000009